(57)【要約】      （修正有）【課題】汎用性が高く、持ち運びが容易で、かつ、容易に動力源を確保することができる可搬式補助動力装置を提供する。【解決手段】可搬式補助動力装置１を開閉機２近傍に置いて、動力装置４の出力軸と手巻ハンドル３の回転軸とが平行になるようにして回転ローラ９の凹溝を手巻ハンドル３に対向させ、接続ケーブル２６を自動車用のバッテリに接続する。そして、押付レバー１１を押下げ、上部取付台５を回動させて、回転ローラ９を手巻ハンドル３に押付け、動力装置４の操作スイッチを操作し、回転ローラ９を回転させて、回転ローラ９に当接する手巻ハンドル３を回転駆動してゲート設備の扉を開閉する。扉の開閉操作の終了後、操作スイッチを操作して回転ローラ９を停止させる。【選択図】図１
0003178752.tif 000002
【実用新案登録請求の範囲】
【請求項１】
ゲート設備の開閉機の手巻ハンドルを回転駆動するための持ち運び可能な可搬式補助動力装置であって、
前記手巻ハンドルの外周部に当接して該手巻ハンドルを回転駆動する回転ローラを有し、電動機によって前記ローラを駆動する動力装置と、
前記開閉機の近傍に置かれ、前記回転ローラが前記手巻ハンドルの外周部に当接する位置と離間する位置との間で移動可能なように前記動力装置を支持し、かつ、前記手巻ハンドルの高さに応じて前記動力装置の高さを調整可能とした支持部とを備えていることを特徴とする可搬式補助動力装置。
【請求項２】
前記支持部は、前記動力装置を前記回転ローラの出力軸に平行な軸回りに回動可能に支持することを特徴とする請求項１に記載の可搬式補助動力装置。
【請求項３】
前記支持部は、放射状に広がる複数の脚部を有し、前記動力装置に対して前記脚部の鉛直軸回りの取付角度が調整可能であることを特徴とする請求項１又は２に記載の可搬式補助動力装置。
【請求項４】
前記支持部は、３つの脚部を有する三脚であることを特徴とする請求項３に記載の可搬式補助動力装置。
【請求項５】
前記電動機は、自動車用のバッテリを電源とすることを特徴とする請求項１乃至４のいずれかに記載の可搬式補助動力装置。
【請求項６】
前記電動機の回転制御を可能にしたことを特徴とする請求項１乃至５のいずれかに記載の可搬式補助動力装置。
【考案の詳細な説明】
【技術分野】
【０００１】
本考案は、河川及び海岸等に設置される中小規模の水門及び陸閘等のゲート設備の開閉装置に設けられた人力操作可能な手巻ハンドルを回転駆動するための可搬式補助動力装置に関する。
【背景技術】
【０００２】
水門及び陸閘等のゲート設備には、扉を開閉するための開閉装置が設けられている。この開閉装置を駆動する動力源は、設備の規模や重要度により、人力、電動機及びエンジン等が使い分けられている。開閉装置は、動力源が電動機又はエンジンの場合でも、予備動力源として人力で開閉できる機構が付設されることが多い。
また、人力を動力源とする場合、一般的に、円形のハンドル（手巻ハンドル）を回すことにより扉を開閉する機構が用いられている。
【０００３】
従来、このような開閉機の手巻ハンドルを原動機によって駆動できるようにした駆動装置が公知となっている。
例えば、手巻ハンドルの軸に動力伝達用のアタッチメントを装置し、別途設けた駆動装置をフレキシブル構造の伝動軸を介してアタッチメントに連結し、駆動装置の原動機により、手巻ハンドルを回転駆動するようにした回転駆動装置が実用化されている。
【０００４】
また、特許文献１には、手巻ハンドルによる手動式の開閉機に、原動機によって駆動ローラを駆動する回転駆動装置をボルト等で固定し、駆動ローラを手巻ハンドルに当接させて摩擦力により手巻ハンドルを回転駆動することにより、開閉機を自動化する装置が記載されている。
【先行技術文献】
【特許文献】
【０００５】
【特許文献１】実用新案登録第３０６７５１０号
【考案の概要】
【考案が解決しようとする課題】
【０００６】
水門及び陸閘等のゲート設備は、治水及び利水のために社会資本設備として国土の保全や国民の財産を守る重要な施設である。このため、ゲート設備は、何時でも開閉操作が行えるように定期的に点検が行われ、点検の際には、扉の全開及び全閉操作を必ず行い開閉機能の確認を行う必要がある。このとき、人力により扉の開閉を行う開閉機では、多大な時間及び労力を要し、効率もよくない。
【０００７】
また、災害等により、ゲート設備の開閉装置の動力源（主電源等）が失われた場合、人力による開閉操作が行われることになるが、開閉操作に多大な時間及び労力を要するため、非常事態に対する対応が不十分になる虞がある。
このような場合、上述の回転駆動装置及び特許文献１に記載されているような原動機によって開閉機の手巻ハンドルを駆動する駆動装置を用いることが考えられるが、従来のこの種の駆動装置では次のような問題がある。
【０００８】
上記従来の回転駆動装置では、動力伝達用のアタッチメントを用いるため、構造が複雑で、設置にも手間がかかる。また、特許文献１に記載されたものでは、開閉機に駆動装置をボルト等によって固定するので、開閉機の数だけ駆動装置が必要となり、また、設置作業が煩雑である。
更に、このような駆動装置を用いる場合、電動機の動力源である電源を確保する必要もある。
【０００９】
本考案は、上記の点に鑑みてなされたものであり、汎用性が高く、持ち運びが容易で、かつ、動力源を容易に確保することができる可搬式補助動力装置を提供することを目的とする。
【課題を解決するための手段】
【００１０】
上記の課題を解決するために、請求項１に係る考案は、ゲート設備の開閉機の手巻ハンドルを回転駆動するための持ち運び可能な可搬式補助動力装置であって、
前記手巻ハンドルの外周部に当接して該手巻ハンドルを回転駆動する回転ローラを有し、電動機によって前記ローラを駆動する動力装置と、
前記開閉機の近傍に置かれ、前記回転ローラが前記手巻ハンドルの外周部に当接する位置と離間する位置との間で移動可能なように前記動力装置を支持し、かつ、前記手巻ハンドルの高さに応じて前記動力装置の高さを調整可能とした支持部とを備えていることを特徴とする。
請求項２に係る考案は、上記請求項１の構成において、前記支持部は、前記動力装置を前記回転ローラの出力軸に平行な軸回りに回動可能に支持することを特徴とする。
請求項３に係る考案は、上記請求項１又は２の構成において、前記支持部は、放射状に広がる複数の脚部を有し、前記動力装置に対して前記脚部の鉛直軸回りの取付角度が調整可能であることを特徴とする。
請求項４に係る考案は、上記請求項３の構成において、前記支持部は、３つの脚部を有する三脚であることを特徴とする。
請求項５に係る考案は、上記請求項１乃至４のいずれかの構成において、前記電動機は、自動車用のバッテリを電源とすることを特徴とする。
請求項６に係る考案は、上記請求項１乃至５のいずれかの構成において、前記電動機の回転制御を可能にしたことを特徴とする。
【考案の効果】
【００１１】
請求項１の考案に係る可搬式補助動力装置によれば、人手で持ち運ぶことができ、開閉機の近傍に置いて、手巻ハンドルの高さに応じて動力装置の高さを調整し、動力装置を移動させて回転ローラを手巻ハンドルの外周部に当接させることにより、手巻ハンドルを動力装置によって回転駆動することができる。
請求項２の考案に係る可搬式補助動力装置によれば、動力装置を回動させることにより、回転ローラを手巻ハンドルに当接させることができる。
請求項３の考案に係る可搬式補助動力装置によれば、脚部の取付角度を調整することにより、開閉機等との干渉を避けることができ、設置の自由度を高めることができる。
請求項４の考案に係る可搬式補助動力装置によれば、動力装置を簡単な構造で安定的に支持することができる。
請求項５の考案に係る可搬式補助動力装置によれば、電源を容易に確保することができる。
請求項６の考案に係る可搬式補助動力装置によれば、手巻ハンドルの回転負荷に応じて回転ローラの回転を調整することができる。
【図面の簡単な説明】
【００１２】
【図１】本考案の一実施形態に係る可搬式補助動力装置及びゲート設備の開閉機の正面図である。
【図２】図１に示す装置の側面図である。
【図３】図１に示す装置の平面図である。
【図４】図１に示す可搬式補助動力装置の下部取付台の平面図である。
【図５】図１に示す可搬式補助動力装置の動力装置、上部取付台及び下部取付台の背面図である。
【図６】図１に示す可搬式補助動力装置の下部取付台と脚部との取付方向を示す平面図である。
【考案を実施するための形態】
【００１３】
以下、本考案の一実施形態を図１〜図６に基づいて詳細に説明する。
図１は、一実施形態に係る可搬式補助動力装置１及びゲート設備の開閉機２の正面図であり、図２は、側面図であり、図３は、平面図である。図１〜３に示すように、開閉機２は、水門及び陸閘等のゲート設備の扉（図示せず）を人力によって開閉するものであって、円形の手巻ハンドル３が設けられている。そして、この手巻ハンドル３を回転させることで扉を開閉することができ、一般的に、図１において、右回りの回転で扉が開き、左回りの回転で扉が閉じるように構成されている。
【００１４】
可搬式補助動力装置１は、電動機を用いて開閉装置２の手巻ハンドル３を回転駆動するためのものであって、動力装置４と、動力装置４が取付けられた上部取付台５及び下部取付台６と、下部取付台６を支持する三脚支持柱７と、動力装置４を制御する制御装置８とで構成されている。
【００１５】
動力装置４は、電動機（図示せず）及び減速機構（図示せず）を備え、電動機を駆動源として減速機構を介して出力軸３１を回転駆動するものであり、人手で持ち運びできる程度の小型の装置である。電動機としては、直流式、交流式にかかわらず、様々な形式のものを用いることができるが、本実施形態では、災害時等の非常時においても比較的入手し易い１２Ｖ又は２４Ｖの自動車用のバッテリを電源とする直流電動機を用いている。また、電動機のみによって必要な回転力が得られる場合には、減速機構を省略してもよい。動力装置４の出力軸３１には、回転ローラ９が取付けられている。回転ローラ９の外周部には、手巻ハンドル３の外周部の形状に対応して凹溝９Ａが形成されている。回転ローラ９は、外周部の凹溝９Ａを手巻ハンドル３の外周部に当接させ、摩擦力によって手巻ハンドル３に回転駆動力を伝達する。このため、回転ローラ９の外周部の凹溝９Ａは、充分な摩擦力及び適度な弾性を得るために、ゴム等の弾性摩擦部材で被覆されている。また、動力装置４には、電動機を運転、停止するための操作スイッチ１０が設けられている。
【００１６】
上部取付台５は、略長方形の平板状であり、ボルト等のネジ部品３０により上部に動力装置４が固定されている。上部取付台５の四隅には、動力装置４を跨ぐように設けられた一対の略Ｕ字形の取っ手２８Ａ，２８Ｂの先端部が取付けられている。一方の取っ手２８Ｂは、先端のネジ部が上部取付台５に回転可能に支持された調整ナット２９に螺合されており、調整ナット２９を回転させることにより、取付位置を上下に調整できるようになっている。また、上部取付台５の下面には、動力装置４の側方に延びる押付レバー１１が着脱可能に取付けられている。押付レバー１１は、上部取付台５の両側に固定された一対の取付管１２Ａ、１２Ｂの一方に一端部を挿入することによって上部取付台５に取付けられ、取付位置を選択することができる（図１の例では、右側の取付管１２Ａに取付けられている）。押付レバー１１の他端部は、合成ゴム等からなるグリップ１１Ａで被覆されている。
【００１７】
上部取付台５の下部には、略円板状の下部取付台６が動力装置４の出力軸３１と平行な軸回りに回動可能に取付けられている。下部取付台６は、図４に示すように、略円板状であり、円周方向に沿って等間隔に１２個の取付穴１５が穿設され、中央部に動力装置４の配線を通すための開口６Ａが設けられ、また、開口６Ａの周囲に制御装置８を取付けるための複数の穴１６が穿設されている。上部取付台５の下部及び下部取付台６の上部には、それぞれ一対の軸受部１３、１８が突出して、これらの軸受部１３、１８にボルト１４を挿通し、ボルト１４にナット１４Ａを螺着することにより、上部取付台５と下部取付台６とがボルト１４の軸回りに回動可能に結合されている。また、下部取付台６には、上部取付台５に取付けられた一方の取っ手２８Ｂの先端部に対向して、一対の受座１７が取付けられている。そして、調整ナット２９を回転させ、取っ手２８Ｂの位置を移動させて、両端のネジ部の先端を一対の受座１７に当接させることにより、上部取付台５と下部取付台６との回動を固定することができる。
【００１８】
下部取付台６の下部には、三脚支持柱７の上端部が取付けられており、上部取付台５、下部取付台６及び三脚支持柱７により、動力装置４を回動可能に支持する支持部を構成している。三脚支持柱７は、円周上に等間隔で下部が拡開するように配置されて放射状に延びる円筒状の３つの脚部２０と、これらの脚部２０の上端部を互いに連結する脚部取付部材２１Ａ及び中間部を互いに連結する脚部間隔支持部材２１Ｂとで構成されている。三脚支持柱７は、上端部の脚部取付部材２１Ａが下部取付台の１２個の取付穴１５のうちの等間隔に配置された３個に挿通されるボルト２２によって下部取付台６に固定されている。したがって、下部取付台６の１２個の取付穴１５のうちのいずれかの３個にボルト２２を挿通することにより、下部取付台６と三脚支持柱７との鉛直軸回りの取付角度を例えば、図６（ａ）〜（ｄ）に示すように調整することができる。
【００１９】
３つの脚部２０は、それぞれ上下に二分割された脚部２０Ａ，２０Ｂからなり、上部の脚部２０Ａに下部の脚部２０Ｂが摺動可能に挿入されて伸縮可能になっている。上部及び下部の脚部２０Ａ、２０Ｂは、それぞれに軸方向に沿って複数設けられた穴２３にボルト（図示せず）を挿通して互いに位置を固定することにより長さを調整し、三脚支持柱７の高さを調整することができる。下部の脚部２０Ｂの端部には、滑り止め用のベースゴム２０Ｃが取付けられている。
【００２０】
制御装置８は、下部取付台６の下面にボルト等のネジ部品（図示せず）によって取付けられ、開口６Ａに挿通された配線（図示せず）によって動力装置４に接続されている。制御装置８は、動力装置４の出力軸３１の回転方向及び出力トルク（回転速度）を調整する回路を備えており、切替スイッチ２４により、動力装置４の出力軸３１の回転方向を切換え、また、ボリューム２５によって出力トルク（回転速度）を調整することができる。制御装置８の下部には、電源である自動車用のバッテリに接続するための接続ケーブル２６が接続されている。操作スイッチ１０、切替スイッチ２４、ボリューム２５、接続ケーブル２６等を含む動力装置４及び制御装置８の各部、並びに、これらの配線は、防水構造となっているため、可搬式補助動力装置１は、野外での使用が可能である。
【００２１】
以上のように構成した可搬式補助動力装置１を用いて開閉機２の手巻ハンドル３を回転駆動してゲート設備の扉を開閉する操作について次に説明する。
なお、可搬式補助動力装置１を搬送、移動する際には、調整ナット２９を回転させ、取っ手２８Ｂのネジ部の先端を下部取付台６の受座１７に当接させて、上部取付台５と下部取付台６との回動を固定しておき、取っ手２８Ａ，２８Ｂを把持するとよい。
図１乃至図３に示すように、まず、可搬式補助動力装置１をゲート設備の開閉機２の近傍に適当に置いて、動力装置４の出力軸３１と手巻ハンドル３の回転軸とが平行になるようにして回転ローラ９の凹溝９Ａを手巻ハンドル３に対向させる。このとき、三脚支持柱７の脚部２０を伸縮させて、手巻ハンドル３の高さに応じて回転ローラ９の高さを調整することができる。なお、三脚支持柱７の脚部２０が開閉機２等に干渉する場合には、例えば、図６（ａ）〜（ｄ）に示すように三脚支持柱７の鉛直軸回りの取付角度を適宜変更して干渉を避ける。そして、押付レバー１１を上部取付台５の取付管１２Ａ、１２Ｂのいずれかに挿入する。このとき、押付レバー１１は、可搬式補助動力装置１の設置状況に応じて、開閉機２と干渉せず、また、操作し易いように取付管１２Ａ、１２Ｂのいずれかに挿入する。これにより、可搬式補助動力装置１は、様々な開閉機２への適用が可能となるので、汎用性が高い。可搬式補助動力装置１を設置後、接続ケーブル２６を自動車用のバッテリに接続する。
【００２２】
次に、調整ナット２９を回転させ、取っ手２８Ｂを上方に移動させて、受座１７から離間させる。これにより、上部取付台５と下部取付台６とを回動可能とし、回転ローラ９を手巻ハンドル３に当接する位置と離間する位置とで移動可能にする。そして、押付レバー１１を押下げ、上部取付台５を回動させて、回転ローラ９を手巻ハンドル３に押付ける。
【００２３】
なお、押付レバー１１に適宜ウエイトを取付けて、回転ローラ９の手巻ハンドル３への押圧状態を保持するようにしてもよい。あるいは、回転ローラ９が手巻ハンドル３に当接した状態で、調整ナット２９を回転させ、取っ手２８Ｂを一方の受座１７に当接させることにより、上部取付台５の回動位置を固定して、回転ローラ９の手巻ハンドル３への押圧状態を保持するようにしてもよい。
【００２４】
次に、動力装置４の操作スイッチ１０を操作し、回転ローラ９を回転させて、回転ローラ９に当接する手巻ハンドル３を回転駆動してゲート設備の扉を開閉する。このとき、扉の開操作又は閉操作に応じて、制御装置８の切替スイッチ２４により回転ローラ９の回転方向を切替える。また、手巻ハンドル３の回転負荷に応じて、制御装置８のボリューム２５を操作して動力装置４の出力を適宜調整する。そして、扉の開閉操作の終了後、操作スイッチ１０を操作して回転ローラ９を停止させる。このようにして、可搬式補助動力装置１を用いて開閉機２の手巻ハンドル３を回転駆動することができ、人力によらずゲート設備の扉を効率よく開閉することができる。
【００２５】
このように、可搬式補助動力装置１は、小型で持ち運びが可能であり、汎用性が高く、容易に設置可能であり、かつ、容易に電源を確保することができるので、様々なゲート設備の開閉機に適用することができ、複数の開閉機に順次設置して効率よく使用することができ、また、災害等の非常時における利便性も高い。
【００２６】
なお、上記実施形態では、上部取付台５と下部取付台６とを回動可能に連結することにより、回転ローラ９を手巻ハンドル３に当接する位置と離間する位置との間で移動可能に支持しているが、上部取付台５と下部取付台６とを平行リンクによって連結する等の他の手段によって移動可能に支持してもよい。
また、動力装置４を支持する支持部として放射状に広がる３つの脚部を有する三脚支持柱７を用いているが、４つ以上の脚部を有するものとしてもよい。
【符号の説明】
【００２７】
１…可搬式補助動力装置、２…開閉機、３…手巻ハンドル、４…動力装置、５…上部取付台（支持部）、６…下部取付台（支持部）、７…三脚支持柱（支持部）、９…回転ローラ
【図１】
0003178752.tif 000003
【図２】
0003178752.tif 000004
【図３】
0003178752.tif 000005
【図４】
0003178752.tif 000006
【図５】
0003178752.tif 000007
【図６】
0003178752.tif 000008